【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  データ通信可能に接続された複数のコンピュータ端末から成るコンピュータネットワークに接続されたサーバコンピュータを用いて、遊技場に会員登録している会員遊技者に対して遊技場情報の提供を行う遊技場情報の提供方法であって、
前記会員遊技者の電子メールアドレスを少なくとも含む会員遊技者に関する情報を入手する会員情報入手ステップと、
遊技場から、前記会員遊技者に配信する遊技場情報を受付ける遊技場情報受付ステップと、
該遊技場情報受付ステップにて受付けた遊技場情報を含む電子メールを、会員遊技者の前記遊技場における遊技履歴に応じて送信する電子メール送信ステップと、
を少なくとも含むことを特徴とする遊技場情報の提供方法。
【請求項２】  前記遊技履歴は、会員遊技者の前記遊技場における来店履歴を含み、該来店履歴に応じて前記電子メールの送信タイミングを決定する送信タイミング決定ステップを含む請求項１に記載の遊技場情報の提供方法。
【請求項３】 前記送信タイミング決定ステップにおいては、前記来店履歴から各会員遊技者の平均来店時刻または来店時刻が集中する時間帯を特定し、該平均来店時刻または来店時刻が集中する時間帯よりも所定時間前のタイミングを、該会員遊技者への送信タイミングとして決定する請求項２に記載の遊技場情報の提供方法。
【請求項４】  前記電子メールによる遊技場情報の提供を行う会員遊技者の抽出条件を遊技場より受付ける抽出条件受付けステップと、
該抽出条件受付けステップにて受付けた抽出条件に該当する会員遊技者を、前記会員情報入手ステップにて情報を入手した会員遊技者の中から抽出する会員遊技者抽出ステップと、を含む請求項１〜３のいずれかに記載の遊技場情報の提供方法。
【請求項５】  前記遊技場情報受付ステップにおいては、前記遊技場情報の重要度を示す旨の情報を受付け、該重要度を示す旨の情報を受付けた場合においては、前記会員遊技者に対して所定の送信タイミングにて前記電子メールの送信を行う請求項１〜４のいずれかに記載の遊技場情報の提供方法。
【請求項６】  前記会員遊技者の遊技履歴に基づいて該会員遊技者が主として遊技している遊技機種別を特定するとともに、該遊技機種別に該当する遊技場情報を送信情報として決定する送信情報決定ステップを含む請求項１〜５のいずれかに記載の遊技場情報の提供方法。
【請求項７】  前記電子メールの送信状況を集計する集計ステップと、該集計結果を該当する遊技場に配信する集計結果配信ステップと、を含む請求項１〜６のいずれかに記載の遊技場情報の提供方法。
【手続補正２】
【補正対象書類名】明細書
【補正対象項目名】０００４
【補正方法】変更
【補正の内容】
【０００４】
よって、本発明は上記した問題点に着目してなされたもので、会員遊技者の遊技履歴に応じて電子メールを送信することで、受信者にとってこれら電子メールの受信が迷惑となってしまうことを低減できるとともに、遊技場側にとっても、その会員に対して無駄なく効果的に遊技場情報の提供を行う遊技場情報の提供方法を提供することを目的としている。
【手続補正３】
【補正対象書類名】明細書
【補正対象項目名】０００５
【補正方法】変更
【補正の内容】
【０００５】
【課題を解決するための手段】
前記した問題を解決するために、本発明の遊技場情報の提供方法は、
データ通信可能に接続された複数のコンピュータ端末から成るコンピュータネットワークに接続されたサーバコンピュータを用いて、遊技場に会員登録している会員遊技者に対して遊技場情報の提供を行う遊技場情報の提供方法であって、
前記会員遊技者の電子メールアドレスを少なくとも含む会員遊技者に関する情報を入手する会員情報入手ステップと、
遊技場から、前記会員遊技者に配信する遊技場情報を受付ける遊技場情報受付ステップと、
該遊技場情報受付ステップにて受付けた遊技場情報を含む電子メールを、会員遊技者の前記遊技場における遊技履歴に応じて送信する電子メール送信ステップと、
を少なくとも含むことを特徴としている。
この特徴によれば、遊技場情報を含む電子メールが、該電子メールの送信先の会員遊技者の遊技場における遊技履歴に応じて送信されるので、例えば、これら遊技履歴から送信時間或いは送信する遊技場情報を決めることで、より会員遊技者に適した電子メールの送信を行うことができる。これにより、会員遊技者にとってこれら電子メールの受信が迷惑となってしまうことを大幅に低減でき、遊技場においても無駄なく効果的に遊技場情報を会員遊技者に対して提供することができる。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の遊技場情報の提供方法は、前記遊技履歴は、会員遊技者の前記遊技場における来店履歴を含み、該来店履歴に応じて前記電子メールの送信タイミングを決定する送信タイミング決定ステップを含むことが好ましい。
このようにすれば、会員遊技者の前記遊技場における来店履歴に応じて電子メールの送信タイミングが決定されることから、例えば、会員遊技者の来店時刻が集中する時間帯や、最も早い来店時刻等に合わせて前記送信タイミングが決定されることで、会員遊技者の来店パターンに合わせて前記遊技場情報を含む電子メールを送ることができる。
本発明の遊技場情報の提供方法は、前記送信タイミング決定ステップにおいては、前記来店履歴から各会員遊技者の平均来店時刻または来店時刻が集中する時間帯を特定し、該平均来店時刻または来店時刻が集中する時間帯よりも所定時間前のタイミングを、該会員遊技者への送信タイミングとして決定することが好ましい。
このようにすれば、会員遊技者の平均来店時刻または来店時刻が集中する時間帯よりも所定時間前のタイミングが前記送信タイミングとして決定されることで、会員遊技者の来店パターンに合わせて適切なタイミングで前記遊技場情報を含む電子メールを送ることができる。
【手続補正７】
【補正対象書類名】明細書
【補正対象項目名】００５２
【補正方法】変更
【補正の内容】
【００５２】
【発明の効果】
本発明は以下の効果を奏する。
（ａ）請求項１項の発明によれば、遊技場情報を含む電子メールが、該電子メールの送信先の会員遊技者の遊技場における遊技履歴に応じて送信されるので、例えば、これら遊技履歴から送信時間或いは送信する遊技場情報を決めることで、より会員遊技者に適した電子メールの送信を行うことができる。これにより、会員遊技者にとってこれら電子メールの受信が迷惑となってしまうことを大幅に低減でき、遊技場においても無駄なく効果的に遊技場情報を会員遊技者に対して提供することができる。
【手続補正８】
【補正対象書類名】明細書
【補正対象項目名】００５３
【補正方法】削除
【補正の内容】
【手続補正９】
【補正対象書類名】明細書
【補正対象項目名】００５４
【補正方法】削除
【補正の内容】
【手続補正１０】
【補正対象書類名】明細書
【補正対象項目名】００５５
【補正方法】変更
【補正の内容】
【００５５】
（ｂ）請求項２項の発明によれば、会員遊技者の前記遊技場における来店履歴に応じて電子メールの送信タイミングが決定されることから、例えば、会員遊技者の来店時刻が集中する時間帯や、最も早い来店時刻等に合わせて前記送信タイミングが決定されることで、会員遊技者の来店パターンに合わせて前記遊技場情報を含む電子メールを送ることができる。
（ｃ）請求項３項の発明によれば、会員遊技者の平均来店時刻または来店時刻が集中する時間帯よりも所定時間前のタイミングが前記送信タイミングとして決定されることで、会員遊技者の来店パターンに合わせて適切なタイミングで前記遊技場情報を含む電子メールを送ることができる。
【手続補正１１】
【補正対象書類名】明細書
【補正対象項目名】００５６
【補正方法】変更
【補正の内容】
【００５６】
（ｄ）請求項４項の発明によれば、遊技場は、抽出条件に見合った会員遊技者のみに効率良く遊技場情報を含む電子メールを送ることができる。
【手続補正１２】
【補正対象書類名】明細書
【補正対象項目名】００５７
【補正方法】変更
【補正の内容】
【００５７】
（ｅ）請求項５項の発明によれば、緊急性を要求される情報や、情報の提供時期に平等性が要求されるような重要性が高い情報に関しては、遊技場が指定することで各会員遊技者への電子メールの送信が所定の送信タイミングにてほぼ同時に送信される。
【手続補正１３】
【補正対象書類名】明細書
【補正対象項目名】００５８
【補正方法】変更
【補正の内容】
【００５８】
（ｆ）請求項６項の発明によれば、会員遊技者が主に遊技をしている遊技機種別に該当する遊技場情報が前記電子メールにより配信されるため、受信者である会員遊技者にとってより有用性の高い情報を提供できるようになる。
【手続補正１４】
【補正対象書類名】明細書
【補正対象項目名】００５９
【補正方法】変更
【補正の内容】
【００５９】
（ｇ）請求項７項の発明によれば、遊技場は、自己の遊技場情報を含む電子メールの配信状況を逐次把握できる。